(57)【要約】【課題】  ゴミの臭いが外部に漏れることを低減することができる開閉可能な上面板を有するゴミ箱を提供する。【解決手段】  ゴミ箱１０は、第１本体部１１と、第２本体部１２と、外本体部１３と、引出部１４と、外蓋部１５と、内蓋部１６とを備え、内部には、ゴミ袋Ｂが収容される。ゴミ袋Ｂの開口端縁部の前端部は、第１本体部１１と外本体部１３との間に挿入されて挟持される。ゴミ袋Ｂの開口端縁部の後端部は、外蓋部１５と内蓋部１６との間に挿入されて挟持される。【選択図】  図９
2020117367.tif 000002
【特許請求の範囲】
【請求項１】
上面が開口された袋の上部が飛び出した状態で前記袋を内部に収容可能な本体部を備え、前記袋の開口端縁部の前側部分が、前記本体部の前側部分の上部に設けられた支持部の外面に巻き付けられるゴミ箱であって、
前面、後面、左側面及び右側面を有し、前記本体部の上面開口に被せられ、前記袋の開口端縁部の後側部分が前記前面及び前記左右側面に巻き付けられる内蓋部と、
底面が開口された箱状に形成され、前記内蓋部を内部に収容可能で、前記本体部の上面開口に被せられ、前記内蓋部に巻き付けられた前記袋の開口端縁部の後側部分を、前記内蓋部との間で挟持する外蓋部と、
前記内蓋部及び前記外蓋部の少なくとも前端部を前後方向に移動させることで前記本体部の上面開口を閉塞または開放させる移動機構と、
を備え、
前記外蓋部の前端部は、後方向に移動された場合に、前記本体部の前端部より後方に位置するとともに、前記外蓋部の前端部を前記後方向に移動された位置から前方向に向けて移動させた場合に、前後方向において前記本体部の前端部に近づくことを特徴とするゴミ箱。
【請求項２】
請求項１に記載のゴミ箱において、
後面、左右側面及び底面を有し、前記本体部を内部に収容可能で、前記支持部に巻き付けられた前記袋の開口端縁部の前側部分を、前記支持部との間で挟持する外本体部を備えることを特徴とするゴミ箱。
【請求項３】
請求項２に記載のゴミ箱において、
前記本体部の左右側面及び前後面のうちの１面には、開口が形成され、
前記外本体部は、前記本体部の開口から前記本体部の内部に挿入され、前記外本体部の底面との間で前記本体部の底面を挟持する挟持部を備えることを特徴とするゴミ箱。
【請求項４】
請求項１〜３のいずれか１項に記載のゴミ箱において、
所定の位置で前記内蓋部及び前記外蓋部の前端部の後方への移動を規制する規制部を備えることを特徴とするゴミ箱。
【請求項５】
請求項１〜４のいずれか１項に記載のゴミ箱において、
前記本体部の左右側面及び前後面のうちの１面には、開口が形成され、
前記本体部の開口から前記本体部の内部に引き出し可能に挿入される有底筒状の引出部を備えることを特徴とするゴミ箱。
【発明の詳細な説明】
【技術分野】
【０００１】
本発明は、ゴミが入れられるゴミ袋を収容するゴミ箱に関する。
【背景技術】
【０００２】
従来、帯状の湾曲部材、及び、湾曲部材の両端部に接続され該両端部を結ぶ線を介して線対称な帯状部材であって可撓変形可能な可変部材を有する袋開閉具と、袋開閉具を自立させるスタンドとを備える臭い漏れ防止生ごみ容器が知られている（下記特許文献１参照）。この臭い漏れ防止生ごみ容器によれば、袋開閉具に袋を取り付けた状態で可変部材を湾曲部材に沿うように変形させて袋の上面開口を閉じることができる。
【先行技術文献】
【特許文献】
【０００３】
【特許文献１】特開２０００−１６８９０２号公報
【発明の概要】
【発明が解決しようとする課題】
【０００４】
しかしながら、特許文献１に記載の臭い漏れ防止生ごみ容器は、袋の中にゴミを入れる場合には、可変部材を元の形状に変形させて袋の上面開口を開く必要があり、このとき可変部材が変形する際の反動で、袋の中のゴミが飛び出るおそれがあり、衛生上問題があった。
【０００５】
また、近年では、有底筒状のゴミ箱の中に収容したゴミ袋の中にゴミを入れ、さらに、ゴミ箱の上面開口を覆う開閉可能な上面板を備えるタイプが増加しているため、このような開閉タイプのゴミ箱においても、気密性を高め、ゴミの臭いが外部に漏れることを低減させることが求められていた。
【０００６】
本発明は、このような事情に鑑みてなされたものであり、ゴミの臭いが外部に漏れることを低減することができる開閉可能な上面板を有するゴミ箱を提供することを目的とする。
【課題を解決するための手段】
【０００７】
本発明のゴミ箱は、上面が開口された袋の上部が飛び出した状態で前記袋を内部に収容可能な本体部を備え、前記袋の開口端縁部の前側部分が、前記本体部の前側部分の上部に設けられた支持部の外面に巻き付けられるゴミ箱であって、前面、後面、左側面及び右側面を有し、前記本体部の上面開口に被せられ、前記袋の開口端縁部の後側部分が前記前面及び前記左右側面に巻き付けられる内蓋部と、底面が開口された箱状に形成され、前記内蓋部を内部に収容可能で、前記本体部の上面開口に被せられ、前記内蓋部に巻き付けられた前記袋の開口端縁部の後側部分を、前記内蓋部との間で挟持する外蓋部と、前記内蓋部及び前記外蓋部の少なくとも前端部を前後方向に移動させることで前記本体部の上面開口を閉塞または開放させる移動機構と、を備え、前記外蓋部の前端部は、後方向に移動された場合に、前記本体部の前端部より後方に位置するとともに、前記外蓋部の前端部を前記後方向に移動された位置から前方向に向けて移動させた場合に、前後方向において前記本体部の前端部に近づくことを特徴とする。
【０００８】
袋の開口端縁部の前側部分及び後側部分を、それぞれ１箇所で保持する場合等には、袋の開口端縁部の前側部分及び後側部分をどのような形にするか規定することができない。このため、蓋部により本体部の上面開口を閉塞して、袋の開口端縁部の前側部分と後側部分とを上下方向において重ねた場合に、前後方向及び左右方向において、袋の開口端縁部の前側部分と後側部分との間の隙間が一定ではなく、隙間が大きくなることがある。
【０００９】
本発明によれば、袋の開口端縁部の前側部分を、支持部の外面に巻き付け、袋の開口端縁部の後側部分を、内蓋部の前面及び左右側面に巻き付けるので、袋の開口端縁部の前側部分及び後側部分を所定の形に規定することができる。これにより、前後方向及び左右方向において、袋の開口端縁部の前側部分と後側部分との間の隙間が小さい状態で一定に保つことができ、隙間が一定でないものに比べて、各蓋部により本体部の上面開口を閉塞した場合の袋の気密性を高めることができる。さらに、袋の開口端縁部の後側部分を、内蓋部と外蓋部との間で挟持するので、袋の開口端縁部の後側部分が抜け落ちるのを防止することができる。これにより、各蓋部により本体部の上面開口を閉塞した場合の袋の気密性を高めた状態を維持することができる。
【００１０】
また、後面、左右側面及び底面を有し、前記本体部を内部に収容可能で、前記支持部に巻き付けられた前記袋の開口端縁部の前側部分を、前記支持部との間で挟持する外本体部を備えることが好ましい。
【００１１】
この構成によれば、袋の開口端縁部の前側部分を、支持部と外本体部との間で挟持するので、袋の開口端縁部の前側部分が抜け落ちるのを防止することができる。これにより、各蓋部により本体部の上面開口を閉塞した場合の袋の気密性を高めた状態をより一層確実に維持することができる。
【００１２】
さらに、前記本体部の左右側面及び前後面のうちの１面には、開口が形成され、前記外本体部は、前記本体部の開口から前記本体部の内部に挿入され、前記外本体部の底面との間で前記本体部の底面を挟持する挟持部を備えることが好ましい。
【００１３】
この構成によれば、本体部と外本体部とが分離されることを抑制することができる。
【００１４】
また、所定の位置で前記上蓋部の後方への移動を規制する規制部を備えることが好ましい。
【００１５】
この構成によれば、上蓋部が開放し過ぎるのを防止することができる。これにより、上蓋部が開放し過ぎて、袋に入れられたゴミが外部に飛び出ることを防止することができる。
【００１６】
また、前記本体部の左右側面及び前後面のうちの１面には、開口が形成され、前記本体部の開口から前記本体部の内部に引き出し可能に挿入される有底筒状の引出部を備えることが好ましい。
【００１７】
この構成によれば、引出部に、替え用の袋や各種物品を収納することができる。
【図面の簡単な説明】
【００１８】
【図１】本発明のゴミ箱の一実施形態を示す斜視図。
【図２】ゴミ箱の分解斜視図。
【図３】ゴミ箱の第１本体部の展開状態の平面図。
【図４】ゴミ箱の第２本体部の展開状態の平面図。
【図５】ゴミ箱の外本体部の展開状態の平面図。
【図６】ゴミ箱の引出部の展開状態の平面図。
【図７】ゴミ箱の外蓋部の展開状態の平面図。
【図８】ゴミ箱の内蓋部の展開状態の平面図。
【図９】外蓋部及び内蓋部が閉じ位置にある状態のゴミ箱を示す側面断面図。
【図１０】外蓋部及び内蓋部が開放位置にある状態のゴミ箱を示す側面断面図。
【図１１】外蓋部及び内蓋部が閉じ位置にある状態のゴミ箱を示す正面断面図。
【図１２】第２の実施形態のゴミ箱を示す斜視図。
【発明を実施するための形態】
【００１９】
本発明の一実施形態を図面に基づいて説明する。
【００２０】
図１及び図２に示すように、本実施形態のゴミ箱１０は、第１本体部１１と、第２本体部１２と、外本体部１３と、引出部１４と、外蓋部１５と、内蓋部１６とを備え、内部には、ゴミが入れられるゴミ袋Ｂが収容される。
【００２１】
第１本体部１１は、外本体部１３の内部に収納され、第２本体部１２は、第１本体部１１の内部に収納される。引出部１４は、第１本体部１１の内部に引き出し可能に収納され、内蓋部１６は、外蓋部１５の内部に収納される、詳しくは後述するように、外蓋部１５及び内蓋部１６は、外本体部１３に回転可能に取り付けられる。
【００２２】
第１本体部１１は、前面板２１と、後面板２２と、左右一対の左側面板２３及び右側面板２４と、底面板２５とを備え、上面は開口している。前面板２１には前面開口２１ａが形成され、後面板２２には後面開口２２ａ（図３参照）が形成され、第１本体部１１は、前面及び後面それぞれの一部が開口している。
【００２３】
第２本体部１２は、上面板３１と、左右一対の左側面板３２及び右側面板３３とを備え、前面、後面及び底面は開口している。
【００２４】
外本体部１３は、後面板４１と、左右一対の左側面板４２及び右側面板４３と、底面板４４とを備え、前面及び上面は開口している。
【００２５】
引出部１４は、前面板５１と、後面板５２と、左右一対の左側面板５３及び右側面板５４と、底面板５５とを備え、上面は開口している。
【００２６】
外蓋部１５は、前面板６１と、後面板６２と、左右一対の左側面板６３及び右側面板６４と、上面板６５とを備え、底面は開口している。
【００２７】
内蓋部１６は、前面板７１と、後面板７２と、左右一対の左側面板７３及び右側面板７４と、上面板７５とを備え、底面は開口している。
【００２８】
図３に示すように、第１本体部１１は、大略矩形状に打抜いて形成された段ボール板紙Ｃ１により組み立てられる。
【００２９】
段ボール板紙Ｃ１は、図３において展開して示すように、矩形状の前面板２１の左端縁（図３における右端縁）に、折目線Ｌ１を介して矩形状の左側面板２３が連設され、前面板２１の右端縁（図３における左端縁）に、折目線Ｌ２を介して矩形状の右側面板２４が連設されている。左側面板２３の後端縁（図３にける右端縁）には、折目線Ｌ３を介して後面板２２が連設されている。
【００３０】
底面板２５は、第１〜第３底蓋フラップ２５ａ〜２５ｃから構成されている。第１底蓋フラップ２５ａは、折目線Ｌ４を介して後面板２２の下端縁に連設され、第２底蓋フラップ２５ｂは、折目線Ｌ５を介して左側面板２３の下端縁に連設されている。第３底蓋フラップ２５ｃは、折目線Ｌ６を介して右側面板２４の下端縁に連設されている。
【００３１】
前面板２１には、上端から下方に延びた後に右側（図３における左側）に延びる左切れ目線２６と、左切れ目線２６の右側端（図３における左側端）から前面板２１の上端まで延びる折目線Ｌ７とが形成されている。
【００３２】
また、前面板２１には、上端から下方に延びた後に左側（図３における右側）に延びる右切れ目線２７と、右切れ目線２７の左側端（図３における右側端）から前面板２１の上端まで延びる折目線Ｌ８とが形成されている。
【００３３】
左側面板２３の前側（図３における左側）の下端には、切り欠き２３ａが形成され、右側面板２４の前側（図３における右側）の下端には、切り欠き２４ａが形成されている。右側面板２４の後端縁（図３における左端縁）には、折目線Ｌ９を介して接着片２８が連設されている。
【００３４】
左側面板２３は、折目線Ｌ１に沿って折り曲げられ、右側面板２４は、折目線Ｌ２に沿って折り曲げられ、後面板２２は、折目線Ｌ３に沿って折り曲げられ、第１〜第３底蓋フラップ２５ａ〜２５ｃは、折目線Ｌ４〜Ｌ６に沿って折り曲げられている。そして、接着片２８は、折目線Ｌ９に沿って折り曲げられ、この折り曲げられた接着片２８は、後面板２２の内面に接着されている。この状態では、第１〜第３底蓋フラップ２５ａ〜２５ｃは、それぞれ重なり合って係止され、底面板２５が形成される。これにより、第１本体部１１は、四角筒状に形成される（図２参照）。
【００３５】
図４に示すように、第２本体部１２は、大略矩形状に打抜いて形成された段ボール板紙Ｃ２により組み立てられる。
【００３６】
段ボール板紙Ｃ２は、図４において展開して示すように、矩形状の上面板３１の左端縁（図４における右端縁）に、折目線Ｌ１０を介して矩形状の左側面板３２が連設され、上面板３１の右端縁（図４における左端縁）に、折目線Ｌ１１を介して矩形状の右側面板３３が連設されている。
【００３７】
左側面板３２は、折目線Ｌ１０に沿って折り曲げられ、右側面板３３は、折目線Ｌ１１沿って折り曲げられている。これにより、第２本体部１２は、前面、後面及び底面が開口した形状に形成される（図２参照）。
【００３８】
図５に示すように、外本体部１３は、大略矩形状に打抜いて形成された段ボール板紙Ｃ３により組み立てられる。
【００３９】
段ボール板紙Ｃ３は、図５において展開して示すように、矩形状の後面板４１の左端縁（図５における右端縁）に、折目線Ｌ１２を介して矩形状の左内側面板４２ａが連設され、後面板４１の右端縁（図５における左端縁）に、折目線Ｌ１３を介して矩形状の右内側面板４３ａが連設されている。後面板４１の下端縁には、折目線Ｌ１４を介して底面板４４が連設されている。
【００４０】
底面板４４の左端縁（図５における右端縁）には、折目線Ｌ１５を介して矩形状の左外側面板４２ｂが連設され、底面板４４の右端縁（図５における左端縁）には、折目線Ｌ１６を介して矩形状の右外側面板４３ｂが連設されている。左側面板４２は、左内側面板４２ａ及び左外側面板４２ｂから構成されている。右側面板４３は、右内側面板４３ａ及び右外側面板４３ｂが形成されている。
【００４１】
底面板４４の前端縁（図５における下端縁）には、折目線Ｌ１７を介して連結片４５が連設され、連結片４５の前端縁（図５における下端縁）には、折目線Ｌ１８を介して押さえ片４６（挟持部）が連設されている。この押さえ片４６は、詳しくは後述するように、第１本体部１１が外本体部１３から抜け出ないように押さえる。
【００４２】
折目線Ｌ１２は、途中で分断され、その分断された部分には、左内側面板４２ａ側に突出した切れ目線１０１が形成されている。折目線Ｌ１３は、途中で分断され、その分断された部分には、右内側面板４３ａ側に突出した切れ目線１０２が形成されている。切れ目線１０１と切れ目線１０２とは、左右対称に形成されている。
【００４３】
左内側面板４２ａと左外側面板４２ｂとの境界には、切れ目線１０３が形成され、右内側面板４３ａと右外側面板４３ｂとの境界には、切れ目線１０４が形成されている。切れ目線１０３は、途中で左外側面板４２ｂ側に突出し、左内側面板４２ａには左突出部４２ｃが形成される。切れ目線１０４は、途中で右外側面板４３ｂ側に突出し、右内側面板４３ａには右突出部４３ｃが形成される。
【００４４】
後面板４１の上端縁には、折目線Ｌ１９を介して挿入突出片４１ａが形成されている。後面板４１には、左右対称の左開口４１ｂ及び右開口４１ｃが形成されている。
【００４５】
左外側面板４２ｂの後端縁（図５における上端縁）には、折目線Ｌ２０を介して左挿入片４２ｄが形成されている。右外側面板４３ｂの後端縁（図５における上端縁）には、折目線Ｌ２１を介して右挿入片４３ｄが形成されている。
【００４６】
底面板４４には、左突出部４２ｃ及び右突出部４３ｃが挿入される左右一対の開口４４ａが形成されている。
【００４７】
左内側面板４２ａは、折目線Ｌ１２に沿って折り曲げられ、右内側面板４３ａは、折目線Ｌ１３に沿って折り曲げられている。これにより、左内側面板４２ａの切れ目線１０１が形成された部分は開口となり、右内側面板４３ａの切れ目線１０２が形成された部分は開口となる。
【００４８】
底面板４４は、折目線Ｌ１４に沿って折り曲げられる。これにより、左突出部４２ｃ及び右突出部４３ｃが左右一対の開口４４ａに挿入され、左内側面板４２ａ及び右内側面板４３ａが底面板４４に取り付けられている（図２参照）。
【００４９】
左外側面板４２ｂは、折目線Ｌ１５に沿って折り曲げられ、右外側面板４３ｂは、折目線Ｌ１６に沿って折り曲げられる。また、左挿入片４２ｄは、折目線Ｌ２０に沿って折り曲げられ、右挿入片４３ｄは、折目線Ｌ２１に沿って折り曲げられる。これにより、左挿入片４２ｄが左内側面板４２ａに形成された開口に挿入され、右挿入片４３ｄが右内側面板４３ａに形成された開口に挿入されて、左外側面板４２ｂは右内側面板４３ａの外側に取り付けられ、右外側面板４３ｂは右内側面板４３ａの外側に取り付けられている（図２参照）。
【００５０】
このような工程により、外本体部１３は、前面及び上面が開口した四角箱状に形成される（図２参照）。
【００５１】
図６に示すように、引出部１４は、大略矩形状に打抜いて形成された段ボール板紙Ｃ４により組み立てられる。
【００５２】
段ボール板紙Ｃ４は、図６において展開して示すように、矩形状の第１〜第４前面板５１ａ〜５１ｄからなる前面板５１と、矩形状の第１〜第４後面板５２ａ〜５２ｄからなる後面板５２と、左側面板５３及び右側面板５４と、底面板５５とを備える。
【００５３】
第１前面板５１ａの上端縁（図６における下端縁）には、折目線Ｌ２２を介して連結片５６が連設され、連結片５６の前端縁（図６における下端縁）には、折目線Ｌ２３を介して第２前面板５１ｂが連設されている。
【００５４】
第２前面板５１ｂの下端縁には、折目線Ｌ２４を介して底面板５５が連設されている。底面板５５の左端縁（図６における右端縁）には、折目線Ｌ２５を介して左側面板５３が連設され、底面板５５の右端縁（図６における左端縁）には、折目線Ｌ２６を介して右側面板５４が連設されている。
【００５５】
左側面板５３の前端縁（図６における上端縁）には、折目線Ｌ２７を介して第３前面板５１ｃが連設され、右側面板５４の前端縁（図６における上端縁）には、折目線Ｌ２８を介して第４前面板５１ｄが連設されている。
【００５６】
第２前面板５１ｂと第３前面板５１ｃとの境界は、切れ目線１１１が形成され、第２前面板５１ｂと第４前面板５１ｄとの境界は、切れ目線１１２が形成されている。
【００５７】
第１後面板５２ａの上端縁には、折目線Ｌ２９を介して連結片５７が連設され、連結片５７の後端縁（図６における上端縁）には、折目線Ｌ３０を介して第２後面板５２ｂが連設されている。
【００５８】
第２後面板５２ｂの下端縁（図６における上端縁）には、折目線Ｌ３１を介して底面板５５が連設されている。
【００５９】
左側面板５３の後端縁（図６における下端縁）には、折目線Ｌ３２を介して第３後面板５２ｃが連設され、右側面板５４の後端縁（図６における下端縁）には、折目線Ｌ３３を介して第４後面板５２ｄが連設されている。
【００６０】
第２後面板５２ｂと第３後面板５２ｃとの境界は、切れ目線１１３が形成され、第２後面板５２ｂと第４後面板５２ｄとの境界は、切れ目線１１４が形成されている。
【００６１】
第１前面板５１ａの下端（図６における上端）には、突出した左右一対の前挿入部５１ｅが形成され、第１後面板５２ａの下端には、突出した左右一対の後挿入部５２ｅが形成されている。
【００６２】
底面板５５には、左右一対の前挿入部５１ｅが挿入される左右一対の前挿入開口５５ａと、左右一対の後挿入部５２ｅが挿入される左右一対の後挿入開口５５ｂとが形成されている。
【００６３】
引出部１４には、第１前面板５１ａ、連結片５６及び第２前面板５１ｂに連続する把手用開口５８が形成されている。
【００６４】
底面板５５は、折目線Ｌ２４に沿って折り曲げられ、第２後面板５２ｂは、折目線Ｌ３１に沿って折り曲げられている。第３前面板５１ｃ及び第４前面板５１ｄは、折目線Ｌ２７及び折目線Ｌ２８に沿って折り曲げられ、第３後面板５２ｃ及び第４後面板５２ｄは、折目線Ｌ３２及び折目線Ｌ３３に沿って折り曲げられている。
【００６５】
左側面板５３は、折目線Ｌ２５に沿って折り曲げられ、右側面板５４は、折目線Ｌ２６に沿って折り曲げられている。
【００６６】
連結片５６は、折目線Ｌ２３に沿って折り曲げられ、第１前面板５１ａは、折目線Ｌ２２に沿って折り曲げられている。これにより、前挿入部５１ｅが前挿入開口５５ａに挿入され、第１前面板５１ａは、第２前面板５１ｂとの間に第３前面板５１ｃ及び第４前面板５１ｄを挟み込んだ状態で、底面板５５に取り付けられている（図２参照）。
【００６７】
連結片５７は、折目線Ｌ３０に沿って折り曲げられ、第１後面板５２ａは、折目線Ｌ２９に沿って折り曲げられている。これにより、後挿入部５２ｅが後挿入開口５５ｂに挿入され、第１後面板５２ａは、第２後面板５２ｂとの間に第３後面板５２ｃ及び第４後面板５２ｄを挟み込んだ状態で、底面板５５に取り付けられている（図２参照）。
【００６８】
このような工程により、引出部１４は、上面が開口した四角箱状に形成される（図２参照）。
【００６９】
図７に示すように、外蓋部１５は、大略矩形状に打抜いて形成された段ボール板紙Ｃ５により組み立てられる。
【００７０】
段ボール板紙Ｃ５は、図７において展開して示すように、矩形状の第１，第２前面板６１ａ，６１ｂからなる前面板６１と、後面板６２と、左側面板６と、右側面板６４と、上面板６５とを備える。
【００７１】
第１前面板６１ａの下端縁には、折目線Ｌ３４を介して連結片１２１が連設されている。連結片１２１の後端縁（図７における下端縁）には、折目線Ｌ３５を介して第２前面板６１ｂが連設されている。第１前面板６１ａの左端縁（図７における右端縁）には、折目線Ｌ３６を介して左側面板６３が連設され、第１前面板６１ａの右端縁（図７における左端縁）には、折目線Ｌ３７を介して右側面板６４が連設されている。
【００７２】
第１前面板６１ａの上端縁には、折目線Ｌ３８を介して上面板６５が連設され、上面板６５の後端縁（図７における上端縁）には、折目線Ｌ３９を介して後面板６２が連設されている。
【００７３】
折目線Ｌ３５は、途中で分断され、その分断された部分には、第２前面板６１ｂ側に突出した切れ目線１２２が形成されている。これにより、第２前面板６１ｂを折目線Ｌ３５に沿って折り曲げると、突出片１２３（図９参照）が形成される。
【００７４】
第２前面板６１ｂの上端（図７における下端）には、左右一対の前挿入部６１ｃが形成されている。
【００７５】
後面板６２の左端縁（図７における右端縁）には、折目線Ｌ４０を介して左接着片１２４が連設され、後面板６２の右端縁（図７における左端縁）には、折目線Ｌ４１を介して右接着片１２５が連設されている。
【００７６】
折目線Ｌ４０は、途中で分断され、その分断された部分には、左接着片１２４側に突出した切れ目線１２６が形成されている。折目線Ｌ４１は、途中で分断され、その分断された部分には、右接着片１２５側に突出した切れ目線１２７が形成されている。
【００７７】
後面板６２の下端縁（図７における上端縁）には、折目線Ｌ４２を介して、押さえ片１２８と、左右一対の挿入片１２９（規制部）とが連設されている。折目線Ｌ４２は、途中で分断され、その分断された部分には、押さえ片１２８側に突出した切れ目線１２８ａが形成されている。挿入片１２９には、左右方向に延びる折目線Ｌ４３が形成されている。
【００７８】
左側面板６３の後端縁（図７における右端縁）には、折目線Ｌ４４を介して左挿入片１３０が連設されている。右側面板６４の後端縁（図７における左端縁）には、折目線Ｌ４５を介して右挿入片１３１が連設されている。
【００７９】
上面板６５の左端縁（図７における右端縁）には、折目線Ｌ４６を介して左接着片１３２が連設されている。上面板６５の右端縁（図７における左端縁）には、折目線Ｌ４７を介して右接着片１３３が連設されている。
【００８０】
上面板６５の前端（図７における下端）には、左右一対の前挿入部６１ｃが挿入される左右一対の前挿入開口６５ａが形成されている。
【００８１】
第１前面板６１ａは、折目線Ｌ３８に沿って折り曲げられ、連結片１２１は、折目線Ｌ３４に沿って折り曲げられ、第２前面板６１ｂは、折目線Ｌ３５に沿って折り曲げられている。これにより、第２前面板６１ｂの左右一対の前挿入部６１ｃが、上面板６５の左右一対の前挿入開口６５ａに挿入され、第２前面板６１ｂは、折り曲げられた状態で上面板６５に取り付けられている（図２参照）。
【００８２】
左挿入片１３０は、折目線Ｌ４４に沿って折り曲げられ、右挿入片１３１は、折目線Ｌ４５に沿って折り曲げられている。
【００８３】
左接着片１３２は、折目線Ｌ４６に沿って折り曲げられ、右接着片１３３は、折目線Ｌ４７に沿って折り曲げられている。
【００８４】
左接着片１２４は、折目線Ｌ４０に沿って折り曲げられ、右接着片１２５は、折目線Ｌ４１に沿って折り曲げられている。これにより、左接着片１２４の切れ目線１２６が形成された部分は開口となり、右接着片１２５の切れ目線１２７が形成された部分は開口となる。
【００８５】
後面板６２は、折目線Ｌ３９に沿って折り曲げられ、左側面板６３は、折目線Ｌ３６に沿って折り曲げられている。これにより、左接着片１３２は左側面板６３の内面に接着され、左挿入片１３０は、左接着片１２４に形成された開口に挿入され、左側面板６３は、後面板６２に取り付けられている（図２参照）。
【００８６】
右側面板６４は、折目線Ｌ３７に沿って折り曲げられている。これにより、右接着片１３３は右側面板６４の内面に接着され、右挿入片１３１は、右接着片１２５に形成された開口に挿入され、右側面板６４は、後面板６２に取り付けられている（図２参照）。
【００８７】
押さえ片１２８と、左右一対の挿入片１２９とは、折目線Ｌ４２に沿って折り曲げられ、左右一対の挿入片１２９は、折目線Ｌ４３に沿って折り曲げられている。これにより、押さえ片１２８の切れ目線１２８ａが形成された部分は開口となる。
【００８８】
このような工程により、外蓋部１５は、下面が開口した四角箱状に形成される（図２参照）。
【００８９】
図８に示すように、内蓋部１６は、大略矩形状に打抜いて形成された段ボール板紙Ｃ６により組み立てられる。
【００９０】
段ボール板紙Ｃ６は、図８において展開して示すように、矩形状の前面板７１の左端縁（図８における右端縁）に、折目線Ｌ４８を介して左側面板７３が連設され、前面板７１の右端縁（図８における左端縁）に、折目線Ｌ４９を介して右側面板７４が連設されている。
【００９１】
前面板７１の上端縁には、折目線Ｌ５０を介して上面板７５が連設され、上面板７５の後端縁（図８における上端縁）には、折目線Ｌ５１を介して後面板７２が連設されている。
【００９２】
前面板７１には、下端から上方に延びた後に右側（図３における左側）に延びる左切れ目線１４１と、左切れ目線１４１の右側端（図３における左側端）から前面板７１の下端まで延びる折目線Ｌ５２とが形成されている。
【００９３】
また、前面板７１には、下端から上方に延びた後に左側（図３における右側）に延びる右切れ目線１４２と、右切れ目線１４２の左側端（図３における右側端）から前面板７１の下端まで延びる折目線Ｌ５３とが形成されている。
【００９４】
後面板７２の左側端（図３における右側端）には、折目線Ｌ５４を介して左接着片１４３が連設されている。後面板７２の右側端（図３における左側端）には、折目線Ｌ５５を介して右接着片１４４が連設されている。後面板７２の後側端（図３における上側端）には、折目線Ｌ５６を介して押さえ片１４５が連設されている。
【００９５】
折目線Ｌ５４は、途中で分断され、その分断された部分には、左接着片１４３側に突出した切れ目線１４６が形成されている。折目線Ｌ５５は、途中で分断され、その分断された部分には、右接着片１４４側に突出した切れ目線１４７が形成されている。折目線Ｌ５６は、途中で分断され、その分断された部分には、押さえ片１４５側に突出した切れ目線１４８が形成されている。
【００９６】
左側面板７３の左側端（図３における右側端）には、折目線Ｌ５７を介して左挿入片１４９が連設されている。左側面板７３の右側端（図３における左側端）には、折目線Ｌ５８を介して右挿入片１５０が連設されている。
【００９７】
前面板７１は、折目線Ｌ５０に沿って折り曲げられ、後面板７２は、折目線Ｌ５１に沿って折り曲げられている。
【００９８】
左接着片１４３は、折目線Ｌ５４に沿って折り曲げられ、右接着片１４４は、折目線Ｌ５５に沿って折り曲げられ、押さえ片１４５は、折目線Ｌ５６に沿って折り曲げられている。これにより、左接着片１４３の切れ目線１４６が形成された部分は開口となり、右接着片１４４の切れ目線１４７が形成された部分は開口となり、押さえ片１４５の切れ目線１４８が形成された部分は開口となる。
【００９９】
左側面板７３は、折目線Ｌ４８に沿って折り曲げられ、左挿入片１４９は、折目線Ｌ５７に沿って折り曲げられている。これにより、左挿入片１４９は、左接着片１４３に形成された開口に挿入され、左側面板７３は、後面板７２に取り付けられている（図２参照）。
【０１００】
右側面板７４は、折目線Ｌ４９に沿って折り曲げられ、右挿入片１５０は、折目線Ｌ５８に沿って折り曲げられている。これにより、右挿入片１５０は、右接着片１４４に形成された開口に挿入され、右側面板７４は、後面板７２に取り付けられている（図２参照）。
【０１０１】
このような工程により、内蓋部１６は、下面が開口した四角箱状に形成される（図２参照）。
【０１０２】
次に、図１及び図２を参照して、上記のように形成された第１本体部１１、第２本体部１２、外本体部１３、引出部１４、外蓋部１５、及び内蓋部１６によりゴミ箱１０を組み立てる工程について説明する。
【０１０３】
ゴミ箱１０を組み立てる場合、先ず、第２本体部１２を、第１本体部１１の内部に挿入した後、第１本体部１１の下内面と、第２本体部１２の上内面との間に、引出部１４を挿入する。引出部１４には、替え用のゴミ袋や、その他の物品を収納することができる。
【０１０４】
そして、第２本体部１２及び引出部１４を収納した第１本体部１１を、外本体部１３の内部に挿入する。第１本体部１１を、外本体部１３の内部に挿入した後、外本体部１３の連結片４５を、折目線Ｌ１７に沿って折り曲げ、外本体部１３の押さえ片４６を、折目線Ｌ１８に沿って折り曲げる。これにより、第１本体部１１の底面板２５が、外本体部１３の押さえ片４６と外本体部１３の底面板４４との間に挟持され、第１本体部１１は、外本体部１３から抜け出ないように押さえられる。
【０１０５】
次に、内蓋部１６を外蓋部１５の内部に挿入した後、外蓋部１５の押さえ片１２８に形成された開口と、内蓋部１６の押さえ片１４５に形成された開口とに、外本体部１３の後面板４１の挿入突出片４１ａを挿入する。これにより、外蓋部１５及び内蓋部１６は、後面板４１の挿入突出片４１ａを回転中心として回転可能に、外本体部１３の後面板４１に取り付けられる。本実施形態では、外蓋部１５と内蓋部１６とにより上蓋部が構成される。
【０１０６】
そして、外蓋部１５の後面板６２に形成された左右一対の挿入片１２９（規制部）を、外本体部１３の後面板４１に形成された左開口４１ｂ及び右開口４１ｃに挿入する。
【０１０７】
以上の工程により、外蓋部１５及び内蓋部１６は、第１本体部１１の上面開口を閉塞する閉じ位置（図９参照）と、第１本体部１１の上面開口を開放する開放位置（図１０参照）との間で回転可能となる。
【０１０８】
次に、図９〜図１１を参照して、ゴミ袋Ｂをゴミ箱１０に収納する収納工程について説明する。
【０１０９】
ゴミ袋Ｂをゴミ箱１０に収納する場合には、外蓋部１５及び内蓋部１６を開放位置（図１０参照）に開放させた状態で行う。
【０１１０】
ゴミ袋Ｂは、袋状に形成されており、ゴミ箱１０の使用者（以下、単に使用者という）は、ゴミ袋Ｂを、第１本体部１１の中に収容した後、ゴミ袋Ｂの上端部を第１本体部１１から飛び出させる。そして、使用者は、ゴミ袋Ｂの開口端縁部の前側部分を、第１本体部１１の左右外面及び前外面に巻き付ける。本実施形態では、第１本体部１１の左右外面及び前外面が、ゴミ袋Ｂの開口端縁部の前側部分が巻き付けられる支持部となる。
【０１１１】
第１本体部１１の左右外面は、外本体部１３の左右内面により覆われており、第１本体部１１の左右外面に巻き付けられたゴミ袋Ｂの開口端縁部の前側部分は、第１本体部１１の左外面と外本体部１３の左内面との間、及び、第１本体部１１の右外面と外本体部１３の右内面との間で挟持される。なお、外本体部１３は、前面が開口されているため、第１本体部１１の前面板２１の外側に出されたゴミ袋Ｂは、外部から視認可能となる。
【０１１２】
次に、使用者は、ゴミ袋Ｂの開口端縁部の後側部分を、内蓋部１６の左右外面、及び、内蓋部１６の前外面に巻き付ける。
【０１１３】
内蓋部１６の左右外面及び前外面は、外蓋部１５の左右内面により覆われており、内蓋部１６の左右外面及び前外面に巻き付けられたゴミ袋Ｂの開口端縁部の後側部分は、外蓋部１５の左内面と内蓋部１６の左外面との間、外蓋部１５の右内面と内蓋部１６の右外面との間、及び、外蓋部１５の前内面と内蓋部１６の前外面との間で挟持される（図１１参照）。なお、ゴミ袋としては、一般に広く流通しているビニール製のゴミ袋を使用することができる。すなわち、本実施形態のゴミ箱１０では、専用のゴミ袋を用意する必要がない。
【０１１４】
さらに、孔（２箇所が望ましい）が形成されているゴミ袋、例えば、コンビニエンスストアやスーパーマーケット等で購入した物品が入れられる一般的なビニール袋を、ゴミ袋として使用することができる。この場合、第１本体部１１の前面板２１を、折目線Ｌ７及び折目線Ｌ８に沿って内側に折り曲げ、この折り曲げられた部分をゴミ袋の前側の孔に挿入し、内蓋部１６の前面板７１を、折目線Ｌ５２及び折目線Ｌ５３に沿って内側に折り曲げ、この折り曲げられた部分をゴミ袋の後側の孔に挿入する。
【０１１５】
図１０に示すように、使用者は、外蓋部１５及び内蓋部１６を開放位置まで開放した状態で、ゴミをゴミ袋Ｂの中に入れる。外蓋部１５及び内蓋部１６が開放位置にある場合、ゴミ袋Ｂの上面が開口されているので、ゴミ袋Ｂの中にゴミを入れることができる。
【０１１６】
そして、使用者は、ゴミをゴミ袋Ｂの中に入れた後、外蓋部１５及び内蓋部１６を回転させて閉じ位置まで閉じる（図９参照）。外蓋部１５及び内蓋部１６が閉じられると、外蓋部１５及び内蓋部１６で挟持したゴミ袋Ｂの開口端縁部の後端部が、前後方向において第１本体部１１及び外本体部１３で挟持したゴミ袋Ｂの開口端縁部の前端部に近づき、ゴミ袋Ｂの上面開口が閉じられる。
【０１１７】
これにより、外蓋部１５及び内蓋部１６が閉じられた場合にも、ゴミ袋Ｂの上面開口が閉じられない従来のものに比べて、ゴミ袋Ｂに入れられたゴミの臭いが外部に漏れることを低減することができる。特に、使用済みおむつ等の臭いが強く、且つ、毎日発生するものをゴミとして捨てる場合に、臭いの漏れを低減することに効果的である。
【０１１８】
また、ゴミ袋Ｂの開口端縁部の前側部分は、第１本体部１１に巻きつけられ、ゴミ袋Ｂの開口端縁部の後側部分は、内蓋部１６に巻きつけられているので、ゴミ袋Ｂの開口端縁部の前側部分及び後側部分を所定の形に規定することができる。これにより、前後方向及び左右方向において、ゴミ袋Ｂの開口端縁部の前側部分と後側部分との間の隙間が小さい状態で一定に保つことができ、隙間が一定でないものに比べて、外蓋部１５及び内蓋部１６を回転させて閉じた場合のゴミ袋Ｂの気密性を高めることができる。
【０１１９】
さらに、ゴミ袋Ｂの開口端縁部の前側部分は、第１本体部１１と外本体部１３との間に挿入されて挟持され、ゴミ袋Ｂの開口端縁部の後側部分は、外蓋部１５と内蓋部１６との間に挿入されて挟持されるので、ゴミ袋Ｂの開口端縁部の前側部分及び後側部分が抜け落ちるのを防止することができる。これにより、外蓋部１５及び内蓋部１６を回転させて閉じた場合のゴミ袋Ｂの気密性を高めた状態を維持することができる。
【０１２０】
本実施形態では、ゴミ箱１０は、段ボール板紙製であるので、ゴミ箱１０に入れられたゴミを廃棄する場合、ゴミ袋Ｂをゴミ箱１０から取り出すことなく、ゴミ袋Ｂを収容した状態のゴミ箱１０自体を廃棄することができる。これにより、上面板８を開放して、ゴミ袋Ｂをゴミ箱１０から取り出す必要が無く、外蓋部１５及び内蓋部１６を開放する場合の臭いの外部への漏れを防止することができる。
【０１２１】
また、本実施形態では、外蓋部１５の後面板６２に形成された左右一対の挿入片１２９（規制部）が、外本体部１３の後面板４１に形成された左開口４１ｂ及び右開口４１ｃに挿入されている。
【０１２２】
図１０に示すように、挿入片１２９は、外蓋部１５及び内蓋部１６を閉じ位置（図９参照）から開放位置（図１０）まで回転されると、内側に折り曲げられる。外蓋部１５及び内蓋部１６を開放位置（図１０参照）から更に開放するように力を加えた場合でも、挿入片１２９は、更に内側方向に折り曲がるのは難しく、図９の位置に向けて外側方向に戻る弾性力が発生する。この挿入片１２９の弾性力により、外蓋部１５及び内蓋部１６は、図１０に示す位置で回転が規制される。これにより、外蓋部１５及び内蓋部１６が開放し過ぎて、ゴミ袋Ｂに入れられたゴミが外部に飛び出ることを防止することができる。
【０１２３】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【０１２４】
例えば、図１２に示すように、外本体部１３、第２本体部１２及び引出部１４を設けずに、有底四角筒状の本体部２０１を設け、この本体部２０１に、上記実施形態の外本体部１３の挿入突出片４１ａを形成してもよい。この実施形態では、ゴミ袋Ｂの開口端縁部の前側部分は、本体部２０１の前面及び左右側面の外面上部に巻き付けられる。
【０１２５】
さらに、第１本体部１１の前側部分の上部に支持部を一体又は別体に設け、この支持部の外面に、ゴミ袋Ｂの開口端縁部の前側部分を巻き付けるようにしてもよい。
【０１２６】
なお、上記実施形態では、ゴミ箱１０を段ボール板紙Ｃ１〜Ｃ６により構成しているが、樹脂や金属等により構成してもよい。
【０１２７】
上記実施形態では、第１本体部１１を四角筒状に形成しているが、円筒状や三角筒状でもよい。
【０１２８】
上記実施形態では、外本体部１３の前面を開口しているが、第１本体部１１と同様に、引出部１４用の開口が形成された前面板を外本体部１３に設けるようにしてもよい。
【０１２９】
上記実施形態では、引出部１４をゴミ箱１０の前面から引き出し可能としているが、引出部１４をゴミ箱１０の左右側面や後面から引き出し可能にしてもよい。この場合、第１本体部１１の引き出す方向の面に引出部１４用の開口を形成し、外本体部１３の引き出す方向の面を開口させる。
【０１３０】
上記実施形態では、引出部１４を設けているが、引出部１４は設けないようにしてもよい。
【０１３１】
上記実施形態では、外蓋部１５及び内蓋部１６を閉じ位置まで回転した場合に、ゴミ袋Ｂの後端部が前端部を覆うようにしているが、外蓋部１５及び内蓋部１６を閉じ位置まで回転した場合に、ゴミ袋Ｂの上面開口が少しでも閉じられるようにすればよい。
【０１３２】
上記実施形態では、外蓋部１５及び内蓋部１６を回転させることで、外蓋部１５及び内蓋部１６の少なくとも前端部を前後方向に移動させて、第１本体部１１の上面開口を閉塞または開放させているが、外蓋部１５及び内蓋部１６の移動方法は適宜変更可能であり、例えば、外蓋部１５及び内蓋部１６を前後方向にスライド可能に設け、スライドにより、第１本体部１１の上面開口を閉塞または開放させるようにしてもよい。この場合にも、閉じ位置までスライドした場合に、ゴミ袋Ｂの上面開口が少しでも閉じられるようにすればよい。
【符号の説明】
【０１３３】
１０…ゴミ箱、１１…第１本体部、１２…第２本体部、１３…外本体部、１４…引出部、１５…外蓋部、１６…内蓋部、４６…押さえ片（挟持部）、１２９…挿入片（規制部）、Ｂ…ゴミ袋
【図１】
2020117367.tif 000003
【図２】
2020117367.tif 000004
【図３】
2020117367.tif 000005
【図４】
2020117367.tif 000006
【図５】
2020117367.tif 000007
【図６】
2020117367.tif 000008
【図７】
2020117367.tif 000009
【図８】
2020117367.tif 000010
【図９】
2020117367.tif 000011
【図１０】
2020117367.tif 000012
【図１１】
2020117367.tif 000013
【図１２】
2020117367.tif 000014